(57)【特許請求の範囲】
【請求項１】
被処理水を濾過する濾過槽を構成する濾過槽構成部材であって、
濾過筒体と、該濾過筒体内の所要高さ位置に配設され且つ引き上げて該濾過筒体から取り外し可能の板状支持部材とを具え、該板状支持部材には、上下方向に通水孔が設けられると共に、該板状支持部材の下面部と上面部に濾材層が設けられており、
前記下面部に設けられた第１の濾材層は、該下面部に着脱可能に取り付けられており、前記板状支持部材を持ち上げて外部に取り出したときに該第１の濾材層が同時に持ち上げられるようになされており、又、前記上面部に設けられた第２の濾材層は、該上面部に、その自重によって、且つ該上面部と分離された状態で設置されるものとなされ、該第２の濾材層を持ち上げて外部に取り出し可能となされており、
又、前記濾過筒体の下部側には、前記被処理水を該濾過筒体内に導入させる取水部を有すると共に該濾過筒体の上部側には、濾過された処理水を該濾過筒体の外部に排出させる流出口が設けられており、
又、前記板状支持部材の前記上面部は、前記流出口の下端よりも低い位置に位置されており、該上面部の上側であって且つ該下端の下側に水溜まり用空所が形成されていることを特徴とする濾過槽構成部材。
【請求項２】
下部側に取水部を有し且つ上部側に流出口を有する濾過筒体内の所要高さ位置に板状支持部材が配設され、該板状支持部材は、引き上げて該濾過筒体から取り外し可能となされ、該板状支持部材には、上下方向に通水孔が設けられており、
又、該板状支持部材の上面部は、前記流出口の下端よりも低い位置に位置されており、該上面部の上側であって且つ該下端の下側に水溜まり用空所が形成され、該板状支持部材の下面部と上面部に濾材層が設けられており、
前記下面部に設けられた第１の濾材層は、該下面部に着脱可能に取り付けられており、前記板状支持部材を持ち上げて外部に取り出したときに該第１の濾材層が同時に持ち上げられるようになされており、又、前記上面部に設けられた第２の濾材層は、該上面部に、その自重によって、且つ該上面部と分離された状態で設置され、該第２の濾材層を持ち上げて外部に取り出し可能となされており、
前記取水部から前記濾過筒体内に導入されて上昇した被処理水が前記水溜まり用空所に溜まることによって水溜まり部が形成される如くなされており、該被処理水は、該水溜まり部に設置されている前記濾材層で濾過され、濾過された処理水が前記流出口を通して前記濾過筒体の外部に排出されるようになされていることを特徴とする濾過槽。
【請求項３】
下部側に取水部を有し且つ上部側に流出口を有する濾過筒体内の所要高さ位置に板状支持部材が配設され、該板状支持部材は、引き上げて該濾過筒体から取り外し可能となされ、該板状支持部材には、上下方向に通水孔が設けられており、
又、該板状支持部材の上面部は、前記流出口の下端よりも低い位置に位置されており、該上面部の上側であって且つ該下端の下側に水溜まり用空所が形成され、該板状支持部材の下面部と上面部に濾材層が設けられており、
前記下面部に設けられた第１の濾材層は、該下面部に着脱可能に取り付けられており、前記板状支持部材を持ち上げて外部に取り出したときに該第１の濾材層が同時に持ち上げられるようになされており、又、前記上面部に設けられた第２の濾材層は、該上面部に、その自重によって、且つ該上面部と分離された状態で設置され、該第２の濾材層を持ち上げて外部に取り出し可能となされており、
該上面部に設置されている前記第２の濾材層は、該流出口の下端の下側に存する下の濾材層と、該下端の上側に存する上の濾材層とからなり、
前記取水部から前記濾過筒体内に導入されて上昇した被処理水が前記水溜まり用空所に溜まることによって水溜まり部が形成される如くなされており、該被処理水は、該水溜まり部に設置されている前記濾材層で濾過され、濾過された処理水が前記流出口を通して前記濾過筒体の外部に排出されるようになされていることを特徴とする濾過槽。
【請求項４】
有底で且つ上端解放部が蓋板で閉蓋可能となされた外筒体と、該外筒体内に立設状態で納設され且つ上端が開放された濾過筒体との間に流入空間が設けられており、
該外筒体の側壁部には、被処理水を流入させる流入口が設けられると共に、前記濾過筒体の側壁部には、該濾過筒体内で濾過された処理水を前記外筒体の外部に排出させる流出口が設けられており、
又、前記濾過筒体の下部側には、前記流入口から前記流入空間に流入した前記被処理水を該濾過筒体内に導入させる取水部が設けられており、
又、前記濾過筒体内の所要高さ位置に板状支持部材が配設され、該板状支持部材は、引き上げて該濾過筒体から取り外し可能となされ、該板状支持部材には、上下方向に通水孔が設けられており、
又、該板状支持部材の上面部は、前記流出口の下端よりも低い位置に位置されており、該上面部の上側であって且つ該下端の下側に水溜まり用空所が形成され、前記取水部から前記濾過筒体内に導入されて上昇した被処理水が前記水溜まり用空所に溜まることによって水溜まり部が形成される如くなされており、該被処理水は、該水溜まり部に設置されている前記濾材層で濾過され、濾過された処理水が前記流出口を通して前記外筒体の外部に排出されるようになされており、前記板状支持部材の下面部と上面部に濾材層が設けられており、
前記下面部に設けられた第１の濾材層は、該下面部に着脱可能に取り付けられており、前記板状支持部材を持ち上げて外部に取り出したときに該第１の濾材層が同時に持ち上げられるようになされており、又、前記上面部に設けられた第２の濾材層は、該上面部に、その自重によって、且つ該上面部と分離された状態で設置され、該第２の濾材層を持ち上げて外部に取り出し可能となされていることを特徴とする濾過槽。
【請求項５】
前記被処理水は放射性物質を含有しており、
前記下面部に設けられた前記第１の濾材層は、発泡ポリプロピレンの細片をメッシュ状袋に収容してなる濾材袋として構成されて、該濾材袋が前記下面部に着脱可能に取り付けられており、前記板状支持部材を持ち上げて外部に取り出したときに該第１の濾材層が同時に持ち上げられるようになされており、又、前記上面部に設けられた前記第２の濾材層は、粒状のゼオライトをメッシュ状袋に収容してなる濾材袋として構成され、該濾材袋が前記板状支持部材の上面部に、該上面部と分離された状態で設置されており、該濾材袋を持ち上げて外部に取り出し可能となされていることを特徴とする請求項２〜４の何れかに記載の濾過槽。
【請求項６】
前記被処理水は、建物の屋根に降下した放射性物質が降雨水と共に集められてなる、放射性物質を含むものであり、又、前記外筒体は地面に設置されることを特徴とする請求項５記載の濾過槽。
【発明の詳細な説明】
【技術分野】
【０００１】
本発明は、濾過槽構成部材に関するものであり、又、該濾過槽構成部材を用いる濾過槽に関するものである。
【背景技術】
【０００２】
道路排水に含有されている汚濁物質を除去処理して下水処理の負担を軽減する目的で、実用新案登録第３１４８９２１号公報（特許文献１）が開示する雨水濾過器が提案されている。
【０００３】
該雨水濾過器は、図２２に示すように、外筒ａの上端外周面に連結された流入管ｂから流入した路面排水を、外筒ａと内筒ｃとの間を流下させて連通部ｄから該内筒ｃ内に流入させる如くなされている。そして、該内筒ｃには、下部フィルタ板ｅと、上部フィルタ板ｆとの間で区画された空間内に濾材ｇが収容され、該内筒ｃ内に流入した排水が該濾材ｇを下方から上方へ通過する間に汚濁物質が該濾材ｇで濾過され、前記内筒ｃの上部に外筒ａを貫通して設けた流出管ｈから外部へ排出させるように構成されていた。又、前記流入管ｂから、降雨開始から時間が経過して汚濁物質が少ない雨水が、処理能力を超えて流入した場合は、該流入雨水が前記濾材ｇを通ることなく直接流出管ｈより排出されるようになされていた。
【０００４】
前記濾材ｇとしては、親油性物質を吸着する能力の高い発泡ポリプロピレン製のものが好適に用いられ、該濾材ｇは、前記外筒ａの上端を閉蓋する蓋体ｊや前記上部フィルタ板ｆを取り外すことにより、該外筒ａの上端ｋを通して該濾材ｇを交換可能となされていた。そして、前記上部フィルタ板ｆは前記流出管ｈの下端ｍと略同高さにある。従って前記濾材ｇの上端ｎは、該下端ｍよりも稍低い位置に位置していた。
【０００５】
ところで、例えば原子力発電所で放射性物質漏れ事故が発生したとき、放出された放射性物質や放射性物質を含んだ塵が、風に運ばれて或いは降雨に含有されて田畑や道路、建物の屋根等に広範囲に亘って降下した場合、被曝を防止するために該放射性物質の除染を効果的に行うことは極めて重要である。
【０００６】
例えば建物の屋根に降下した放射性物質は、降雨水と共に集められて雨樋を通して側溝等に流れ込むため一旦は屋根から除去された状態となっても、田畑や道路等に積もっている放射性物質が風で舞い上がって飛ばされることによって再び屋根に降下しやすい。このように、放射性物質が一時的に屋根から除去されたとしても屋根の汚染は長期間に亘って続くことになる。
【０００７】
かかることから、側溝等への放射性物質の流入が長期間に亘って継続することになる。そして、このように側溝等に流れ込んだ放射性物質は、側溝等に堆積している汚泥に吸着され易いために、濃縮された放射性物質で建物の周辺が汚染された状態になりやすい。このような汚染を極力防止するためには、雨樋を流下した雨水中の放射性物質を除染することを要する。特に保育園や幼稚園、小学校にあっては、濃縮された放射性物質で建物周辺が汚染されることは幼児や児童に対する放射線の影響がより大きいことに鑑みれば除染の必要性がより高いと言える。
【０００８】
そして、放射性物質の除染の必要性は、建物の屋根に限らず、建物の壁面や道路等の色々な場所において必要であり、然もその除染は、コスト上昇を抑えて簡易に然も効率的に行えることが望まれる。
【０００９】
そこで前記特許文献１記載の雨水濾過器の利用が考えられるが、この雨水濾過器はあくまでも、路面排水に含有されている汚濁物質の除去処理を目的としたものであり、放射性物質を効率的に除染することまでは考慮されていなかった。
【先行技術文献】
【特許文献】
【００１０】
【特許文献１】実用新案登録第３１４８９２１号公報
【発明の概要】
【発明が解決しようとする課題】
【００１１】
本発明は、前記従来の問題点に鑑みて開発されたものであり、被処理水を効率的に濾過し得る濾過槽を構成するための濾過槽構成部材の提供を課題とするものであり、又、放射性物質等を含有する被処理水の濾過を効率的に達成し得る濾過槽の提供を課題とするものである。
【課題を解決するための手段】
【００１２】
前記課題を解決するため本発明は以下の手段を採用する。
即ち本発明に係る濾過槽構成部材は、被処理水を濾過する濾過槽を構成する濾過槽構成部材であって、濾過筒体と、該濾過筒体内の所要高さ位置に配設され且つ引き上げて該濾過筒体から取り外し可能の板状支持部材とを具え、該板状支持部材には、上下方向に通水孔が設けられると共に、該板状支持部材の下面部と上面部に濾材層が設けられている。そして、前記下面部に設けられた第１の濾材層は、該下面部に着脱可能に取り付けられており、前記板状支持部材を持ち上げて外部に取り出したときに該第１の濾材層が同時に持ち上げられるようになされており、又、前記上面部に設けられた第２の濾材層は、該上面部に、その自重によって、且つ該上面部と分離された状態で設置されるものとなされ、該第２の濾材層を持ち上げて外部に取り出し可能となされている。又、前記濾過筒体の下部側には、前記被処理水を該濾過筒体内に導入させる取水部を有すると共に該濾過筒体の上部側には、濾過された処理水を該濾過筒体の外部に排出させる流出口が設けられており、又、前記板状支持部材の前記上面部は、前記流出口の下端よりも低い位置に位置されており、該上面部の上側であって且つ該下端の下側に水溜まり用空所が形成されていることを特徴とするものである。
【００１３】
又、本発明に係る濾過槽は、下部側に取水部を有し且つ上部側に流出口を有する濾過筒体内の所要高さ位置に板状支持部材が配設され、該板状支持部材は、引き上げて該濾過筒体から取り外し可能となされ、該板状支持部材には、上下方向に通水孔が設けられており、又、該板状支持部材の上面部は、前記流出口の下端よりも低い位置に位置されており、該上面部の上側であって且つ該下端の下側に水溜まり用空所が形成され、該板状支持部材の下面部と上面部に濾材層が設けられている。そして、前記下面部に設けられた第１の濾材層は、該下面部に着脱可能に取り付けられており、前記板状支持部材を持ち上げて外部に取り出したときに該第１の濾材層が同時に持ち上げられるようになされており、又、前記上面部に設けられた第２の濾材層は、該上面部に、その自重によって、且つ該上面部と分離された状態で設置され、該第２の濾材層を持ち上げて外部に取り出し可能となされている。又、前記取水部から前記濾過筒体内に導入されて上昇した被処理水が前記水溜まり用空所に溜まることによって水溜まり部が形成される如くなされており、該被処理水は、該水溜まり部に設置されている前記濾材層で濾過され、濾過された処理水が前記流出口を通して前記濾過筒体の外部に排出されるようになされていることを特徴とするものである。
【００１４】
本発明に係る濾過槽のより具体的な態様は、下部側に取水部を有し且つ上部側に流出口を有する濾過筒体内の所要高さ位置に板状支持部材が配設され、該板状支持部材は、引き上げて該濾過筒体から取り外し可能となされ、該板状支持部材には、上下方向に通水孔が設けられており、又、該板状支持部材の上面部は、前記流出口の下端よりも低い位置に位置されており、該上面部の上側であって且つ該下端の下側に水溜まり用空所が形成され、該板状支持部材の下面部と上面部に濾材層が設けられている。そして、前記下面部に設けられた第１の濾材層は、該下面部に着脱可能に取り付けられており、前記板状支持部材を持ち上げて外部に取り出したときに該第１の濾材層が同時に持ち上げられるようになされており、又、前記上面部に設けられた第２の濾材層は、該上面部に、その自重によって、且つ該上面部と分離された状態で設置され、該第２の濾材層を持ち上げて外部に取り出し可能となされている。又、該上面部に設置されている前記第２の濾材層は、該流出口の下端の下側に存する下の濾材層と、該下端の上側に存する上の濾材層とからなり、前記取水部から前記濾過筒体内に導入されて上昇した被処理水が前記水溜まり用空所に溜まることによって水溜まり部が形成される如くなされており、該被処理水は、該水溜まり部に設置されている前記濾材層で濾過され、濾過された処理水が前記流出口を通して前記濾過筒体の外部に排出されるようになされていることを特徴とするものである。
【００１５】
本発明に係る濾過槽のより具体的な他の態様は、有底で且つ上端解放部が蓋板で閉蓋可能となされた外筒体と、該外筒体内に立設状態で納設され且つ上端が開放された濾過筒体との間に流入空間が設けられており、該外筒体の側壁部には、被処理水を流入させる流入口が設けられると共に、前記濾過筒体の側壁部には、該濾過筒体内で濾過された処理水を前記外筒体の外部に排出させる流出口が設けられている。又、前記濾過筒体の下部側には、前記流入口から前記流入空間に流入した前記被処理水を該濾過筒体内に導入させる取水部が設けられており、又、前記濾過筒体内の所要高さ位置に板状支持部材が配設され、該板状支持部材は、引き上げて該濾過筒体から取り外し可能となされ、該板状支持部材には、上下方向に通水孔が設けられている。又、該板状支持部材の上面部は、前記流出口の下端よりも低い位置に位置されており、該上面部の上側であって且つ該下端の下側に水溜まり用空所が形成され、前記取水部から前記濾過筒体内に導入されて上昇した被処理水が前記水溜まり用空所に溜まることによって水溜まり部が形成される如くなされており、該被処理水は、該水溜まり部に設置されている前記濾材層で濾過され、濾過された処理水が前記流出口を通して前記外筒体の外部に排出されるようになされており、前記板状支持部材の下面部と上面部に濾材層が設けられている。そして、前記下面部に設けられた第１の濾材層は、該下面部に着脱可能に取り付けられており、前記板状支持部材を持ち上げて外部に取り出したときに該第１の濾材層が同時に持ち上げられるようになされており、又、前記上面部に設けられた第２の濾材層は、該上面部に、その自重によって、且つ該上面部と分離された状態で設置され、該第２の濾材層を持ち上げて外部に取り出し可能となされていることを特徴とするものである。
【００１６】
前記の各濾過槽において、前記被処理水が放射性物質を含有する場合、前記下面部に設けられた前記第１の濾材層は、発泡ポリプロピレンの細片をメッシュ状袋に収容してなる濾材袋として構成し、該濾材袋が前記下面部に着脱可能に取り付けられたものとし、前記板状支持部材を持ち上げて外部に取り出したときに該第１の濾材層が同時に持ち上げられるようになし、又、前記上面部に設けられた前記第２の濾材層は、粒状のゼオライトをメッシュ状袋に収容してなる濾材袋として構成し、該濾材袋が前記板状支持部材の上面部に、該上面部と分離された状態で設置されたものとし、該濾材袋を持ち上げて外部に取り出し可能に構成するのがよい。
【００１７】
前記の濾過槽において、前記被処理水は、建物の屋根に降下した放射性物質が降雨水と共に集められてなる、放射性物質を含有するものである場合、前記外筒体は地面に設置するのがよい。
【発明の効果】
【００１８】
本発明は以下の如き優れた効果を奏する。
(1) 本発明に係る濾過槽構成部材は、濾過筒体と、該濾過筒体内の所要高さ位置に配設され且つ引き上げて該濾過筒体から取り外し可能の板状支持部材とを具え、該板状支持部材には、上下方向に通水孔が設けられると共に、該板状支持部材の上面部には、濾材層がその自重によって設置されるものとなされており、又、前記濾過筒体の下部側には、前記被処理水を該濾過筒体内に導入させる取水部を有すると共に該濾過筒体の上部側には、濾過された処理水を前記濾過筒体の外部に排出させる流出口が設けられている。又、前記板状支持部材の前記上面部は、前記流出口の下端よりも低い位置に位置されており、該上面部の上側であって且つ該下端の下側に水溜まり用空所が形成されている。そして本発明に係る濾過槽は、該濾過槽構成部材を用い、前記板状支持部材の少なくとも上面部に濾材層を設置して構成されている。
【００１９】
従って本発明によるときは、被処理水に含有されている放射性物質等の濾過を、前記水溜まり用空所の前記水溜まり部において行うことができる。該水溜まり部においては、被処理水と濾材層との接触時間をより長く確保できるため、放射性物質等の濾過を効率的に行い得ることとなる。
【００２０】
もしも、該板状支持部材の上面部を流出口の下端と同高さに設定したとすれば、該板状支持部材の通水孔を通して上昇した水が、その上面部に設置されている濾材層の底部分を前記流出口に向けて素通りしやすいために、前記被処理水と前記濾材層との接触が不十分となって放射性物質等の濾過効率が悪くなるが、前記水溜まり部を形成する本発明によるときは、前記のように濾過を効率的に行い得るのである。
【００２１】
(2) 前記濾過槽を、外筒体内に濾過筒体を立設状態で納設して構成する場合は、被処理水の流入口と処理水の流出口との間の水位落差を容易に形成できることとなり、該被処理水を自然流下によって前記流出口に排出させ得る。
【００２２】
(3) 前記被処理水が放射性物質を含有する場合において、前記板状支持部材の下面部と上面部に、前記第１の濾材層と前記第２の濾材層を設けるときは、前記被処理水中の汚濁物質を第１の濾材層によって効果的に除去した後に、前記第２の濾材層によって放射性物質を効果的に除染できることとなる。そして、放射性物質を吸着する前記第２の濾材層を、前記板状支持部材の上面部と分離された状態で該上面部に設置する場合は、長期間に亘って交換する必要のない前記第１の濾材層はそのまま残しながら、交換頻度の高い前記第２の濾材層だけを容易に引き上げて交換できる利点がある。
【００２３】
(4) 特に、前記濾過筒体に、前記流出口よりも高い位置にオーバーフロー口を設ける場合は、前記流入空間への被処理水の単位時間当たりの流入量が多い場合、該流入空間における水位が設定水位を超えた後は、該オーバーフロー口から濾過筒体内に被処理水をオーバーフローさせることができ、これにより、流入空間における水位の異常上昇に伴う被処理水の逆流現象を防止できる。そしてこの場合、前記板状支持部材の上面部に設置されている前記濾材層が、前記流出口の下端の上側に存する上の濾材層を有する如く構成するときは、オーバーフローによって濾過筒体内に流入した被処理水中含まれている放射性物質等を該上の濾材層でも濾過できることとなる。
【００２４】
このとき、該上の濾材層の上面部を、前記流出口の上端よりも低い位置に設定することにより、該流出口の開放された上部分で、処理水を含め、オーバーフローした水の流出が円滑に行われることとなる。
【００２５】
(5) 前記オーバーフロー口を設けない場合において、前記濾材層が、前記流出口の下端の上側に存する上の濾材層を有する如く構成するときにおいても、被処理水と濾材層との接触時間をより長く確保できることから、放射性物質等をより効率的に濾過できることとなる。
【００２６】
(6) 又、前記板状支持部材を円板状に形成すると共にその外周縁部の対向側で、該板状支持部材の上方に延びる縦棒材を突設し、該両縦棒材の上端部相互を、着脱可能の把手部材で連結可能とするときは、該把手部材を取り外すことにより、該板状支持部材の上方に広い空間部を形成できることになる。従って、該広い空間部を通して前記第２の濾材層の交換作業を容易且つ能率的に行い得ることとなる。
【００２７】
(7) 特に、前記被処理水が、建物の屋根に降下した放射性物質が降雨水と共に集められてなる、放射性物質を含む場合において、前記外筒体を地面に設置するときは、該放射性物質を除染する濾過槽を、特別な土木施工を要さずに建物に近接して簡易に設置でき、又、配管も容易となる。更に該濾過槽は、地上に設置されることから移設も容易である。
【図面の簡単な説明】
【００２８】
【図１】本発明に係る濾過槽の使用状態を示す説明図である。
【図２】その濾過槽の構成を示す断面図である。
【図３】外筒体を示す分解斜視図である。
【図４】濾過槽を示す分解斜視図である。
【図５】濾過槽における流入管の取り付け状態を示す斜視図である。
【図６】濾過槽における流出管の取り付け状態を示す斜視図である。
【図７】濾過筒体に設けられているＬ字状係合溝と該Ｌ字状係合溝に対する把手具の係合要領を示す斜視図である。
【図８】板状支持部材とそれに設けられる引き上げ用の把手具と、第１の濾材層を示す斜視図である。
【図９】板状支持部材に立設された両縦棒材の上端部相互を把手部材で連結した状態を示す正面図と、該把手部材を取り外した状態を示す正面図である。
【図１０】濾過筒体内に収容した板状支持部材の下面部に第１の濾材層を設けると共にその上面部に第２の濾材層を設置した状態を示す断面図である。
【図１１】第２の濾材層を取り外した状態を示す断面図である。
【図１２】第１の濾材層を取り外した状態を示す斜視図である。
【図１３】濾過槽の他の実施例を示す断面図である。
【図１４】濾過筒体内への第１の濾材層の他の収容状態を示す断面図である。
【図１５】濾過筒体の下部側に設けた取水部の他の態様を示す斜視図である。
【図１６】濾過筒体の下部側に設ける取水部の他の態様を示す断面図である。
【図１７】流入口と流出口の他の態様を示す断面図である。
【図１８】板状支持部材で立設された縦棒材の上端部に設けた把手部の他の態様を示す斜視図である。
【図１９】Ｌ字状係合溝の他の態様を示す斜視図である。
【図２０】板状支持部材に立設した縦棒材の上端部相互を把手部材で連結した他の態様を示す斜視図である。
【図２１】板状支持部材の浮き上がりを防止する他の態様を示す断面図である。
【図２２】従来の雨水濾過器の構成とその作用を示す断面図である。
【発明を実施するための形態】
【実施例１】
【００２９】
図１〜２において本発明に係る濾過槽１は、建物２の屋根３に降下した放射性物質が降雨水と共に集められてなる被処理水５中の該放射性物質を除染ために応用されており、該建物２に近接させて地面６に設置されている。
【００３０】
該濾過槽１の概略構成を説明すれば、本実施例においては図２に示すように、有底で上端開放部７が蓋板９で閉蓋可能となされた外筒体１０と、該外筒体１０内に立設状態で納設され且つ上下端１１，１２が開放された濾過筒体１３とを具え、該外筒体１０と該濾過筒体１３との間に流入空間１５が設けられ、該濾過筒体１３の下部側１６には取水部１７が設けられている。
【００３１】
又、該濾過筒体１３内の所要部位に、上下方向に通水孔１９が設けられた板状支持部材２０が配設され、該板状支持部材２０の下面部２１には、前記被処理水５中の汚濁物質を除去する第１の濾材層２２が設けられると共に、該板状支持部材２０の上面部２３には、該被処理水５中の放射性物質を吸着する、除染用の濾材層１８としての第２の濾材層２５が設けられている。又、該外筒体１０の側壁部２６には、前記被処理水５を流入させるための流入口２７が設けられると共に、前記濾過筒体１３の側壁部２９には、該流入口２７よりも低い位置に、濾過処理された処理水を前記外筒体１０の外部に排出させる流出口３０が設けられており、該流入口２７と該流出口３０は、本実施例においては左右対向側３１，３２に設けられている。
【００３２】
そして本実施例においては、濾過槽１を、外筒体１０と濾過筒体１３との組み合わせで構成することによって、前記のように流入空間１５を構成することとし、且つ、前記流出口３０を前記流入口２７よりも低い位置に設けているため、該流入口２７の下端２８（図２）と該流出口３０の下端８５との間に水位落差を形成できる。かかることから、前記流入空間１５に流入した被処理水５を自然流下により前記流出口３０に排出させ得る。即ち、前記流入口２７から前記流入空間１５に流入した被処理水５は、前記取水部１７から前記濾過筒体１３内に導入されて上昇し、前記第１の濾材層２２を上方向に通過して後、前記板状支持部材２０に設けられている前記通水孔１９を通して更に上昇し前記第２の濾材層２５に流入し、その後、前記流出口３０を通して流出管３３に流入し、前記外筒体１０の外部の排水設備（例えば側溝３５ａ）３５に排出される。
【００３３】
以下、濾過槽１の構成をより具体的に説明する。前記外筒体１０は、本実施例においては図２〜４に示すように、上下端部３６，３７（図３）が開放された塩化ビニル製の円筒状部材３９を用いて構成されており、該円筒状部材３９の該下端３７は、塩化ビニル製の皿状底板部材４１で閉蓋されて底部４２（図２）が構成されている。該皿状底板部材４１は、図３に示すように、円板状を呈する底面部４３の外周縁で立壁片４５が立設された、上端が開放した皿状を呈しており、該立壁片４５の外周面４６が前記円筒状部材３９の内周面の下端部分４７に当接され且つ溶着されることによって、前記外筒体１０の該底部４２が構成されている。
【００３４】
そして、前記円筒状部材３９の上端部には、図２〜４に示すように、円板状を呈する前記蓋板９を嵌め入れるための嵌入凹部４９を有するリング状蓋受部材５０が取り付けられている。該蓋板９は、例えば縞鋼板を用いて円板状に形成されており、その上面５１の中央部分にコ字状把手５２が設けられている。該リング状蓋受部材５０は、その下端外周部分に設けられた円環状溝部５３に前記円筒状部材３９の上端部分５４を嵌入し且つ接着することによって、該上端部分５４に取り付けられている。これによって外筒体１０が構成され、該リング状蓋受部材５０の前記嵌入凹部４９に前記蓋板９を嵌め入れることによって、図２、図５に示すように、該外筒体１０が該蓋板９で閉蓋可能となされている。
【００３５】
又前記流入口２７は、本実施例においては図２に示すように、前記円筒状部材３９の側壁部（外筒体１０の側壁部）２６を円形に開口して形成した流入口形成孔５５（図３）に円管状の流入管５６の下流端部分５７を挿入して形成された、該流入管５６の下流端開口５９を以て形成されている。該流入管５６は、本実施例においては図５、図２に示すように、前記外筒体１０の側壁部２６の外面６０に当接され且つ該外面６０に接着される湾曲固定板６１を介して、該外筒体１０に固定されている。
【００３６】
かかる構成を有する外筒体１０は、本実施例においては図１に示すように、建物２に近接した状態で地面６に立設状態に設置される。そして、該流入管５６の上流端部分６２は、図１、図５に示すように、建物２の屋根３の降雨水を排水するための雨樋６３の下端部６５に連通されている。ここに建物とは、住家、店舗、工場、倉庫の他、人が住んだり物を納めたりするために作られた建築物や建造物の全般を指す概念である。本実施例においては濾過槽１を地面６に設置するため、該濾過槽を、特別な土木施工を要さずに建物に近接して簡易に設置でき、又、配管も容易であり、更に、濾過槽１の移設も容易である。
【００３７】
かかる構成を有する外筒体１０の主要部の寸法を例示すれば、該外筒体１０の高さは約９００ｍｍに設定されると共にその外径は約４２０ｍｍ、その内径は約４００ｍｍに設定されている。又、前記流入口２７の径は約１００ｍｍに設定されており、該流入口２７の上端６５は、本実施例においては前記外筒体１０の上端６６から約１６０ｍｍ下方位置に設定されている。又、前記側壁部２６の、前記流入口２７が設けられている側と反対側には、図２、図４に示すように、前記流出口３０を形成する後述の流出口形成孔７３と対向する状態で、流出管３３の挿入孔６９が設けられている。
【００３８】
前記濾過筒体１３は、本実施例においては図４に示すように、上下端部７０，７１が開放された円筒状を呈しており、例えば塩化ビニル製である。又、前記濾過筒体１３の下端側１６には、前記流入口２７から前記流入空間１５に流入した前記被処理水５を該濾過筒体１３内に導入させる前記取水部１７が設けられている。該取水部１７は、本実施例においては図２、図４に示すように、該濾過筒体１３の側壁部２９の下端部分７２を逆Ｕ字状に欠切して設けられており、例えば、該濾過筒体１３の周方向に１２０度の角度ピッチで３個設けられている。
【００３９】
又前記流出口３０は本実施例においては、前記濾過筒体１３の側壁部２９を円形に開口して形成した流出口形成孔７３に円管状の流出管３３の上流端部分７６を挿入して形成された、該流出管３３の上流端開口７７を以て形成されており、その内径は約１００ｍｍに設定されている。かかる構成を有する濾過筒体１３は、前記外筒体１０内に、軸線を稍ずらして立設状態に納設されている。本実施例においては、前記流出口形成孔７３が前記挿入孔６９に近接した状態となるように設定されている。該流出口形成孔７３と該挿入孔６９とを近接させるのは、該挿入孔６９を挿通した流出管３３の上流端部分７６を該流出口形成孔７３に挿入させ易くするためである。該流出管３３は、図５〜６に示すように、前記外筒体１０の側壁部２６の外面６０に当接され且つ該外面６０に接着される湾曲固定板８０を介して、該外筒体１０に固定されている。そして該流出管３３は、図１に示すように、その垂下管部分３３ａの下流開口端８１が排水設備（排水路や雨水枡等）３５に開放されている。
【００４０】
かかる構成を有する前記濾過筒体１３は、その下面２４の、前記取水部１７，１７間の部分８２，８２，８２が前記外筒体１０の底部上面８３に溶接されて立設状態とされている。該濾過筒体１３の主要部の寸法を例示すれば、該濾過筒体１３の上下高さは約８２０ｍｍに設定されると共にその外径は約３１５ｍｍ、その内径は約３００ｍｍに設定され、前記流出口３０の径は約１００ｍｍに設定され、該流出口３０の下端８５の前記底部上面８３からの高さは約４８０ｍｍに設定されている。
【００４１】
本実施例においては、前記流入空間１５に流入した被処理水５の逆流を防止するために、図２、図４に示すように、前記濾過筒体１３の上端側には、前記側壁部２９を開口することによって、前記流出口３０よりも高い位置にオーバーフロー口８６が設けられている。該オーバーフロー口８６は本実施例においては、下縁８７が水平を呈する矩形状開口として形成されている。
【００４２】
又、前記濾過筒体１３の上端縁部分８９の対向側９０，９０には、図４に示すように、後述する把手９１の係合突出部９２を係合させるためのＬ字状係合溝９３が設けられている。該Ｌ字状係合溝９３は、図７に示すように、該係合突出部９２を下方向に案内する縦係合溝９５と、該縦係合溝９５の下端９６で前記濾過筒体１３の円周方向に延び且つ該係合突出部９２を案内する横係合溝９７とから形成されている。そして本実施例においては、該横係合溝９７の先端部分は、該横係合溝９７の溝幅よりも大なる直径を有する、例えば円形孔部からなる、上下方向に拡がる幅広係合部９９とされている。
【００４３】
又、前記濾過筒体１３内には、図２に示すように、前記第１の濾材層２２と前記第２の濾材層２５を設けるための前記板状支持部材２０が、引き上げにより、前記外筒体１０の前記上端開放部７を通して外部に取り出し可能に配設されている。該板状支持部材２０は本実施例においては図４、図８に示すように、前記濾過筒体１３の内径よりも稍小径であり、例えば塩化ビニル製の円板状を呈している。該板状支持部材２０は、その直径が約３００ｍｍでその厚さが約３０ｍｍに設定されており、上下方向に貫通する多数の前記通水孔１９が均等な分散状態で設けられている。該通水孔１９は本実施例においては図２、図８に示すように、周方向に細長いスリット状貫通孔として形成されており、該板状支持部材２０の、中心回りの直径が異なる多数の同心円上で、多数設けられている。
【００４４】
そして該板状支持部材２０には、引き上げ用の把手具１００が設けられている。該把手具１００は、例えば塩化ビニル製であり、図８に示すように、板状支持部材２０の外周縁部１０１の対向側で、上方に延びる円形軸状の縦棒材１０２，１０２が突設されると共に、該両縦棒材１０２，１０２の上端部１０３，１０３にはＴ字状連結部材１０５が連結されている。該Ｔ字状連結部材１０５は、図８に示すように、該板状支持部材２０の半径方向に稍長い円形筒状を呈する横筒部１０６の長さ方向の中央部位の下面部分に、下方向に突出し且つ下端が開放した円形筒状を呈する縦筒部１０９が突設されており、全体としてＴ字状を呈している。該縦筒部１０９に、前記縦棒材１０２の上端部１０３が挿入され且つ接着固定されており、前記横筒部１０６の内の、前記半径方向で見て外方に突出する外筒部分が、前記Ｌ字状係合溝９３と係合し得る係合突出部９２とされている。又、前記半径方向で見て内方に突出する内筒部分はその下半分が欠切されて、上に突の半割り筒部１１０として形成されている。そして図２、図４、図９（Ａ）に示すように、向き合う両半割り筒部１１０，１１０相互は把手部材１１１で連結可能となされている。
【００４５】
該把手部材１１１は、例えば直線状円筒部材を以て形成されており、図９（Ａ）に示すように、その両端部分１１２，１１２を前記両半割り筒部１１０，１１０の係合凹部１１３，１１３に嵌め入れることによって、両半割り筒部１１０，１１０相互を該把手部材１１１で連結できる。この連結状態で、該把手部材１１１を握って前記板状支持部材２０を上げ下げできる。又、図９（Ｂ）に示すように、該両端部分１１２，１１２を該係合凹部１１３，１１３から取り外すことによって、対向する半割り筒部１１０，１１０間を大きく開放させることができる。
【００４６】
そして、前記板状支持部材２０の下面部２１には、図２、図４に示すように、前記被処理水５中の汚濁物質を除去する前記第１の濾材層２２が設けられる。該第１の濾材層２２は例えば図８に示すように、水より比重が小さい発泡ポリプロピレンの細片をポリエステル等のメッシュ状袋１１５に収容してなる濾材袋２２ａとして構成されている。該メッシュ状袋１１５の目の大きさは、粒径が例えば１〜３ｍｍである発泡ポリプロピレンの細片がこぼれないように設定されている。
【００４７】
該濾材袋２２ａは、その上下方向の厚さが例えば１００ｍｍに設定され、本実施例においては図４、図８に示すように、前記濾過筒体１３の内径以上の外径を有する円柱状を呈した前記上部分１１６と、下方に向かって先細り状を呈する下部分１１７とを有している。そして、該濾材袋２２ａの上面部１１９の対向側には、前記通水孔１９を挿通し得るバンド状や紐状等を呈する２本の結着材１２０，１２０の一端部分１２１，１２１が、接着や縫着等によって取り付けられている。前記結着材１２０，１２０を前記板状支持部材２０の所要の通水孔１９，１９に通して後、該結着材１２０，１２０の他端部分１２２，１２２相互を、例えば面状ファスナ等の係止具を用いて一体化することにより、図４に示すように、前記濾材袋２２ａを前記板状支持部材２０に着脱可能に取り付けることができる。
【００４８】
このようにして濾材袋２２ａが下面部２１に設けられてなる板状支持部材２０を、図２に示すように前記濾過筒体１３内に収容する際は、前記両縦棒材１０２，１０２の上端部相互を前記把手部材１１１で連結した状態で、該把手部材１１１を片手で握って該板状支持部材２０を前記濾過筒体１３内で下ろす。このとき、前記左右の係合突出部９２，９２を、図７（Ａ）に矢印Ｆ１で示すように、これが前記濾過筒体１３の前記縦係合溝９５，９５と位置合わせされるように下ろす。該係合突出部９２，９２を該縦係合溝９５，９５の下端まで嵌め入れて後、図７（Ｂ）に矢印Ｆ２で示すように、前記把手部材１１１を前記濾過筒体１３の周方向で正回転させる。これによって、該係合突出部９２，９２を前記横係合溝９７，９７に入り込ませることができ、最後は、該係合突出部９２，９２を前記幅広係合部９９，９９に嵌め入れる。
【００４９】
この状態で、前記板状支持部材２０及び前記濾材袋２２ａに浮力が作用しても、前記係合突出部９２，９２が前記横係合溝９７，９７に位置しているために、該係合突出部９２，９２が該横係合溝９７の上縁部９８で受け止められ、該板状支持部材２０の浮き上がりが阻止される。特に本実施例においては、該横係合溝９７，９７に連設されている幅広係合部９９，９９に該係合突出部９２，９２を嵌め入れることとしているため、該係合突出部９２，９２の外れ防止がより確実に図られることとなり、該板状支持部材２０がより安定的に定置されることとなる。従って前記濾材袋２２ａは、所要位置に安定的に配設された状態を維持できる。その後、前記把手部材１１１を取り外し、これを前記外筒体１０の外部に取り出す。
【００５０】
そして、濾材袋２２ａ（第１の濾材層２２）がこのように設けられた状態で、図２、図１０に示すように、前記板状支持部材２０の上面部２３は前記流出口３０の下端８５よりも低い位置に位置するようになされている。本実施例においては約５０ｍｍ、低い位置に位置するようになされている。このように該上面部２３が該下端８５よりも低い位置に位置することから、該上面部２３の上側であって且つ該下端８５の下側に水溜まり用空所９４が形成される。そして該水溜まり用空所９４に、前記第２の濾材層２５が設けられる。
【００５１】
前記濾材袋２２ａは、このようにして前記濾過筒体１３内に収容されるのであるが、その下部分１１７が先細り状に形成されているため、前記濾過筒体１３に対する濾材袋２２ａの収容を容易に行うことができる。そして、該濾材袋２２ａの上部分１１６の外径が前記濾過筒体１３の内径よりも若干大きくても該濾材袋２２ａは変形可能であるため、該濾材袋２２ａの一部が内側に変形することによって該濾材袋２２ａを濾過筒体１３内に密接状態で収容できる。この収容状態で、該濾材袋２２ａ（該第１の濾材層２２）の外周部１２３と濾過筒体１３の内周面１２５との間には隙間が生じないので、被処理水が該隙間をすり抜けることがなく該第１の濾材層２２で汚濁物質が効果的に除去されることになる。
【００５２】
又、放射性物質を吸着する前記第２の濾材層２５は、本実施例においては図２、図１０に示すように、５〜１０ｍｍ径の粒状のゼオライトを、例えばポリエステルのメッシュ状袋１２６に収容してなる、円柱状を呈する濾材袋２５ａとして構成されている。メッシュ状袋１２６の目の大きさは、前記ゼオライトがこぼれない程度に設定されており、該濾材袋２５ａの上下方向の厚さは約１００ｍｍ程度に設定されている。かかる構成を有する第２の濾材層２５を、前記濾過筒体１３内に設置された前記板状支持部材２０の上面部２３に、本実施例においては、該上面部２３と分離された状態で設置する。第２の濾材層２５は、本実施例においては粒状のゼオライトを用いて構成されているため、その自重によって、前記上面部２３に安定的に設置され、浮力で浮き上がる恐れがない。従って、該第２の濾材層２５の上面部１２７を押え板で下方向に押さえる必要がない。
【００５３】
本発明において、該第２の濾材層２５を、前記板状支持部材２０の上面部２３に、該上面部２３と分離された状態で設置することとしているのは、長期間（例えば３年）交換する必要のない第１の濾材層２２はそのまま残しながら、放射性物質を除染する第２の濾材層２５だけを頻繁に交換できるようにするためである。
【００５４】
前記板状支持部材２０を濾過筒体１３内に設置した後に、図９（Ｂ）に示すように前記把手部材１１１が取り外されることから、該板状支持部材２０の上方部を大きく開放させることができる。従って、前記設置作業を無理なく行うことができる。
【００５５】
このように設置された第２の濾材層２５は、本実施例においては図１０に示すように、前記流出口３０の下端８５の下側に存する下の濾材層（約５０ｍｍ厚さ）１３０と、該下端８５の上側に存する上の濾材層（約５０ｍｍ厚さ）１３１の二層からなる。そして本実施例においては図１０に示すように、該上の濾材層１３１の上面部１２７が、前記流出口３０の上端１３３よりも低い位置に存するようになされている。例えば、該流出口３０の上下高さの略１／２の高さに位置するようになされている。
【００５６】
処理水の流出抵抗をより小さくするためには、常識的には、例えば特許文献１にも記載されているように、濾材層を流出口３０の下端８５よりも上にまで配置することは行わないと考えられる。換言すれば、排出口３０を、その全体は元よりその一部分であっても、濾材層で塞ぐということは行わないと考えられる。
【００５７】
そのため、特許文献１におけるように、オーバーフローによって濾過筒体内に流入した被処理水は、濾過処理されることなく該流出口を素通りすることになる。
【００５８】
このように素通りしても、道路排水の濾過処理における場合等、被処理水に含まれている汚濁物質を単に除去するだけであるならば特に問題はない。それまでの降雨水で、道路排水中の汚濁物質がほとんど存在していないからである。
【００５９】
しかしながら本実施例においては、オーバーフローした被処理水が危険な放射性物質を含有する関係上、流出抵抗を多少犠牲にしてでも、含有されている放射性物質の除去を優先するために、流出口３０の下端８５よりも上側に上の濾材層１３１を設けることとしているのである。
【００６０】
かかる構成を有する濾過槽１によるときは、建物２の屋根３に降下した放射性物質が降雨水と共に集められてなる被処理水５が雨樋６３を流下し、前記流入管５６を介して、前記流入口２７から前記流入空間１５に流入する。該流入空間１５に流入した被処理水５は、前記取水部１７から前記濾過筒体１３内に導入されて上昇し、前記第１の濾材層２２を上方向に通過して後、前記板状支持部材２０に設けられている通水孔１９を通して更に上昇し、前記第２の濾材層２５内に流入する。その後、前記流出口３０を通して前記流出管３３に流入して、前記外筒体１０の外部に排出される。本実施例においては前記排水設備３５に排出される。
【００６１】
被処理水５が前記第１の濾材層２２を通過することにより、該被処理水５に含まれている汚濁物質が濾過や吸着により効果的に除去される。そして、前記通水孔１９を通して上昇した被処理水５中の前記放射性物質は、前記第２の濾材層２５に流入することによって、吸着により効果的に除染される。なお、１００％除染されるとは限らない。本実施例においては前記通水孔１９が前記板状支持部材２０に均等に分散した状態で設けられているため、該板状支持部材２０の上面部２３で上昇する被処理水５が前記第２の濾材層２５の各部に良好に接触することとなり、放射性物質の除染がより効率的に行われることになる。
【００６２】
この除染は、前記板状支持部材２０の上面部２３が前記流出口３０の下端８５よりも低位置に位置されて、前記水溜まり用空所９４が形成されているため、該上面部２３の上側に水溜まり部１３６が形成されることとなる。該水溜まり部１３６に第２の濾材層２５が設置されているため、被処理水と濾材層との接触時間をより長く確保できる。かかることから、該水溜まり部１３６において、放射性物質の吸着促進が図られることとなる。該第２の濾材層２５に流入して除染された処理水１３７は前記流出口３０に向けて移動し、前記排水管３３に流入する。本実施例においては、前記第２の濾材層２５の上面部１２７の上側で、前記流出口３０の略上半分が開放状態にあるため、前記流出口３０の開放された上部分（本実施例においては上半分３０ａ）では、処理水が円滑に流入されることになる。
【００６３】
集中豪雨時等において、前記流入管５６に流入する単位時間当たりの流入量が多量であって、該流入空間１５内の水位が異常に上昇したときは、前記オーバーフロー口８６を通して前記濾過筒体１３内に被処理水５が流入する。本実施例においては、該オーバーフロー口８６の下縁８７が水平な直線状を呈するため、該流入空間１５内の水位が該下縁８７を超えたとき、該下縁８７で、濾過筒体１３内に円滑にオーバーフローさせることができる。該オーバーフロー口８６から濾過筒体１３内に流入した被処理水５は、前記第２の濾材層２５での放射性物質の除染が効果的に行われて、前記流出口３０を通して前記流出管３３に流入し、外筒体１０の外部に排出される。本実施例においては、前記流出口３０の下端８５よりも上側に上の濾材層１３１を設けているため、オーバーフロー口８６から流入した被処理水中の放射性物質を、該上の濾材層１３１によって効果的に吸着できることになる。そして本実施例においては、上の濾材層１３１の上面部１２７が前記流出口３０の上端１３３よりも低い位置に存するため、前記流出口３０の開放された上部分（本実施例においては上半分３０ａ）では、処理水を含め、オーバーフローした水の流出が円滑に行われることとなる。
【００６４】
かかる濾過処理が継続して一定期間を経過すると（例えば半年程度経過すると）、該第２の濾材層２５の吸着効率が低下したり、吸着により濃縮された放射性物質が汚染源になる恐れがあるため、該第２の濾材層２５を、頻繁に（例えば半年に１回程度）交換する必要がある。この交換作業は、図６に示すように、前記蓋板９を開いて後、該第２の濾材層２５を引き上げて前記外筒体１０の前記上端開放部７を通して外部に取り出す。図１１は、前記板状支持部材２０の上面部２３から第２の濾材層２５を取り外した状態を示している。その後、新たな第２の濾材層２５を前記上面部２３に設置する。該第２の濾材層２５は、本実施例においては、前記上面部２３と分離された状態で設置されるため、該第２の濾材層２５を単独で持ち上げてこれを新品と交換できるのである。そして、該第２の濾材層２５の取り出しや再設置を行う際（即ち、第２の濾材層２５を交換する際）、本実施例においては、前記のように把手部材１１１が取り外されているために前記板状支持部材２０の上側を広く開放させることができる（図９（Ｂ））。従って、第２の濾材層２５の交換を作業性よく行うことができ、頻繁に行われるメンテナンスの容易化を達成できる。
【００６５】
又、３年程度を経過して前記第１の濾材層２２の汚濁物質の除去効率が悪くなった場合は、図１２に示すように、前記のように取り付けられた把手部材１１１を握って、前記板状支持部材２０を前記濾材袋２２ａと共に引き上げて、前記上端開放部７を通して外部に取り出す。このとき、前記第２の濾材層２５は予め引き上げておくのがよい。
【００６６】
このように板状支持部材２０を引き上げる際は、図７（Ｂ）に示すように、該板状支持部材２０を、前記係合突片部９２を前記幅広係合部９９から外して前記横係合溝９７に位置させて後、水平面内で前記と逆方向Ｆ３に回転させて、前記係合突出部９２を前記縦係合溝９５に位置させる。この状態で前記把手部材１１１を持ち上げると、前記第１の濾材層２２を引き上げて、前記上端開放部７を通してこれを外部に取り出すことができる。このように取り出した状態で、前記第１の濾材層２２の前記結着材１２０，１２０の結着状態を解除して該第１の濾材層２２を新品と交換し、前記と同様にして結着材１２０，１２０を再び結着する。その後、該第１の濾材層２２を該板状支持部材２０と共に前記濾過筒体１３内の所要位置に設置する。なお、該第１の濾材層２２を交換する際に前記第２の濾材層２５も交換するのがよい。このように第１、第２の濾材層２２，２５を交換すれば、第１の濾材層２２による汚濁物質の除去や第２の濾材層２５による放射性物質の除染を効果的に継続できることになる。このようにして、建物の屋根に降下した放射性物質を順次除染できることになる。
【実施例２】
【００６７】
本発明は、前記実施例で示したものに限定されるものでは決してなく、「特許請求の範囲」の記載内で種々の設計変更が可能であることはいうまでもない。その一例を挙げれば次のようである。
【００６８】
(1) 図１３は、本発明に係る濾過槽１の他の実施例を示すものであり、前記外筒体１０を省略して構成されている。該濾過槽１は、有底の濾過筒体１３を用いて構成されており、該濾過筒体１３の下部側１５１に取水部１７を有し且つ上部側１５２に流出口３０を有しており、該濾過筒体１３内の所要高さ位置に、前記と同様構成の板状支持部材２０が配設されると共に、該板状支持部材２０の上面部２３は、前記流出口３０の下端８５よりも低い位置に位置されている。そして、該上面部２３の上側であって且つ前記下端８５の下側に水溜まり用空所９４が形成されており該水溜まり用空所９４に、例えば、放射性物質を吸着する除染用の濾材層１８が、その自重によって、且つ該上面部と分離された状態で設けられている。該濾材層１８は、本実施例においては、前記流出口３０の下端８５の下側に存する下の濾材層１３０と、該下端８５の上側に存する上の濾材層１３１とからなる。本実施例においてこのように上の濾材層１３１を設けているのは、被処理水５と濾材層１８との接触時間をより長くして濾過効率を向上させるためである。
【００６９】
そして、前記取水部１７から前記濾過筒体１３内に導入されて上昇した前記被処理水５が、前記水溜まり用空所９４に留まることによって水溜まり部１３６が形成される如くなされている。該被処理水５は、水位落差によって濾過筒体１３内に導入されたり、ポンプで送給されて濾過筒体１３内に導入される。
【００７０】
該水溜まり部１３６において、前記除染用の濾材層１８で放射性物質が吸着により除染され、その後、該除染された処理水が前記流出口３０を通して前記濾過筒体１３の外部に排出される。前記第１の濾材層２２は、前記実施例におけると同様にして設けることができる。この場合、前記実施例におけると同様にして、該板状支持部材２０の外周縁部の対向側で突設した両縦棒材１０２，１０２の上端部１０３，１０３相互を把手部材１１１で着脱可能に連結可能とすることにより、該把手部材１１１を取り外すことにより、該板状支持部材２０の上方に広い空間部を形成できることになる。従って、該広い空間部を通して前記除染用の濾材層１８の交換作業を容易且つ能率的に行い得ることとなる。
【００７１】
(2) 前記濾材層１８は、被処理水に含有されている前記汚濁物質や前記放射性物質の他、被処理水中に含有されている各種の物質（例えば、塩分や鉄分、多環芳香族炭化水素等の有機系汚染物質、窒素やリン等の富栄養化塩類等、カドミウム等の重金属類等）を濾過し得る所要の濾材を用いて構成できる。
【００７２】
(3) 又、前記濾材層１８は、前記板状支持部材２０の上面部２３にのみ設置されることの他、前記板状支持部材２０の上面部２３と下面部２１の双方に設けられる場合がある。濾材層１８を上下に設ける場合は、同種の濾材を用いる場合でも、濾過の目的に応じて、夫々の濾材層を構成する濾材の粒径を変えることがある。例えば、下側に存する濾材層の粒径を比較的大きく設定すると共に、上側に存する濾材層の粒径を比較的小さく設定する場合は、下側の濾材層で、比較的大きな汚濁物質を濾過して後、上側の濾材層で、比較的小さな汚濁物質を濾過することができる。かかる濾材層１８は、何れも、これが前記水溜まり部に設置されることにより、被処理水５と濾材層１８との接触時間をより長く確保できるため、濾過を効率的に行い得ることとなる。
【００７３】
(4) 前記第１の濾材層２２は、被処理水中の汚濁物質を除去するためのものであり、前記した発泡ポリプロピレンの細片の他、活性炭、その他の公知の濾材等を用いることができる。又、前記第２の濾材層２５は、放射性物質を吸着できるものであれば、前記したゼオライトの他、活性炭、イオン交換樹脂等の吸着材を用いることもできる。なお、本発明に係る濾過槽１で濾過する被処理水が放射性物質を含有する場合、前記第１の濾材層２２が省略されることもある。
【００７４】
(5) 前記板状支持部材２０の上面部２３に前記除染用の濾材層１８を設け、特に、該濾材層１８が前記上の濾材層１３１を構成する如くなす場合、オーバーフローによって濾過筒体１３内に流入した被処理水の除染をより効果的に行うためには、前記上の濾材層１３１が前記流出口３０の全体を覆った状態となってもよい。しかし、前記流出口３０からの流出をより円滑化するためには、前記上の濾材層１３１の上面部２３を前記流出口３０の上端１３３よりも低い位置に存するようになすのが好ましい。低くする程度は、前記上の濾材層１３１による前記除染効果がより効果的に行われ且つ、前記流出口３０からの流出時の抵抗をそれ程大きくしない範囲で、所要に設定されるものである。
なお、前記被処理水が放射性物質を含有しない場合であっても、前記のように上の濾材層１３１を設けるのがよい。
【００７５】
(6) 前記第１の濾材層２２や第２の濾材層２５は、メッシュ状袋に濾材を収容してなる濾材袋２２ａ，２５ａとして構成されることの他、通水性を有する各種の収容体に濾材を収容して構成されてもよく、或いは、かかる袋や収容体に収容されないで、単なる濾材の集合体として構成されることもある。
【００７６】
(7) 本発明において、板状支持部材の上面部に濾材層をその自重によって設置するとは、該濾材層を構成する濾材が浮遊性を有する場合であっても、該濾材を収容する収容体の自重により該濾材層をその自重によって設置する場合を含むものである。
【００７７】
(8) 前記第２の濾材層２５の上面部１２７は、前記流出口３０の下端８５と略面一状態に設定されることの他、該上面部１２７が該下端８５よりも低い位置に設定されることもある。
【００７８】
(9) 前記実施例においては、前記第１の濾材層２２を結着材１２０，１２０を用いて前記板状支持部材２０に固定し、該板状支持部材２０を持ち上げることによって該第１の濾材層２２を同時に持ち上げ可能としているが、例えば発泡ポリプロピレンの細片をメッシュ状袋２２ａに収容して構成した第１の濾材層２２を前記濾過筒体１３に固定された、例えば網状を呈する濾材支持部１３９で支持し、該第１の濾材層２２の浮き上がりを板状支持部材２０で阻止して該第１の濾材層２２を定位置に固定する場合もある。このように構成する場合は、板状支持部材２０を持ち上げた後に前記第１の濾材層２２を引き上げることにより該第１の濾材層２２を交換できる。
【００７９】
(10)第１の濾材層２２を前記板状支持部材２０に固定する手段は、前記のように結着材１２０を用いて固定することの他、各種の公知手段を採用できる。
【００８０】
(11)例えば図１５に示すように、前記濾過筒体１３の側壁部２９の下端部分に開口部１４１を設け、該開口部１４１を以て前記取水部１７とすることもある。このように構成する場合、濾過筒体１３の下端が閉蓋されることもある。
図１６は、濾過筒体１３の下部側１６に取水部１７を設ける他の態様を示すものであり、前記外筒体１０の底面部４３に間隔を置いて固定された台座片１４２，１４２，１４２上に前記濾過筒体１３の下面２４を載置することによって、隣り合う台座片１４２，１４２間に前記取水部１７が形成されている。
【００８１】
(12)例えば図１７に示すように、前記した流入口形成孔５５や流出口形成孔７３が前記流入口２７や流出口３０を構成することもある。
【００８２】
(13)前記流入口２７には、枡や側溝に連結された流入管の下流端部分が連設されることもある。
【００８３】
(14)前記流入口２７と前記流出口３０は、左右対向側３１，３２に設けられるものには特定されない。
【００８４】
(15)前記引き上げ用の把手具１００を構成する前記縦棒材１０２，１０２や前記把手部材１１１は、支障のない範囲で屈曲したものであってもよい。
【００８５】
(16)図１８は、前記板状支持部材２０の外周縁部の対向側で上方に向けて突設された縦棒材１０２，１０２の上端部１０３，１０３に、内方への突出量（両縦棒材１０２，１０２の向き合う方向への突出量）が小さい把手部１４６，１４６を設けた場合を示しており、該把手部１４６，１４６の外方端には、前記と同様にしてＬ字状係合溝９３，９３と係合し得る係合突出部９２，９２が設けられている。このように構成する場合も、対向する把手部１４６，１４６間に比較的大きな空間部を形成できるため、該空間部を通して、前記第２の濾材層２５の交換作業を容易に行い得ることとなる。
【００８６】
(17)図１９は、前記Ｌ字状係合溝９３の他の態様を示すものであり、濾過筒体１３の上端から斜め下方向に延びる縦係合溝９５と、該縦係合溝９５の下端から前記濾過筒体の周方向に延びる横係合溝９７とから構成されている。
【００８７】
(18)図２０は、前記両縦棒材１０２，１０２の上端部１０３，１０３相互を、着脱できない状態で把手部材１４８で連結した場合を示している。この場合は、前記第２の濾材層２５を交換する際に、該把手部材１１１を避けるように前記第２の濾材層２５を左右に二分割する等して、該第２の濾材層２５の交換作業を極力容易化するのがよい。
【００８８】
(19)前記板状支持部材２０を所定位置に設置し、且つ、該板状支持部材２０を引き上げ可能とする構成は、前記したものには特定されず、例えば図２１に示すように、前記と同様に構成をした両縦棒材１０２，１０２の上端部１０３，１０３を、前記濾過筒体１３の内周面１４７に例えばボルト（図示せず）で着脱可能に固定した押え部材１５０で上から押さえることによって、該板状支持部材２０の浮き上がりを防止するように構成することもできる。そして、該押え部材１５０を取り外すことによって該板状支持部材２０を引き上げることができる。
【００８９】
(20)前記板状支持部材２０に設ける上下方向の通水孔１９は、前記上面部２３に設置される第２の濾材層２５による放射性物質等の濾過をそれほど妨げない限り、該上面部２３に均等な分散状態で設けられることは必ずしも必要ではない。
又該通水孔１９は、該板状支持部材２０を貫通して設けられることの他、該板状支持部材２０の周縁部分で切欠形成した上下端開放の切欠溝部と前記濾過筒体１３の内周面との間で形成されることもある。
【００９０】
(21)板状支持部材２０は、例えば塩化ビニル製の円板体を以て構成される。その材料は、塩化ビニル以外の樹脂であってもよく、他の材料であってもよい。
【００９１】
(22)前記外筒体１０内に前記濾過筒体１３を立設状態に納設する際、該外筒体１０と該濾過筒体１３の軸線を前記のように位置ずれさせることの他、該軸線を略合致させることとしてもよい。
【００９２】
(23)本発明を構成する前記外筒体１０や前記濾過筒体１３は、円筒状には限定されず、例えば横断面楕円形状を呈するもの等であってもよい。又、角形等に形成されてもよい。
【００９３】
(24)前記外筒体１０や前記濾過筒体１３は、塩化ビニル製等の樹脂製とされることの他、コンクリート等の所要素材を用いて構成することもできる。又、これらの夫々を、複数の部材を所要段数に積重して構成することもできる。
【００９４】
(25)本発明に係る濾過槽１は、前記のように地面に設置されることの他、地下埋設されるものであってもよい。
【００９５】
(26)前記実施例においては、オーバーフロー口８６を前記濾過筒体１３の側壁部２６を開口して設けているが、該濾過筒体１３の上端開放部をオーバーフロー口とすることもできる。
【００９６】
(27)前記オーバーフロー口８６から濾過筒体１３内に流入する被処理水中の汚濁物質を除去するための濾材層を設けることもある。
【００９７】
(28)放射性物質を含む被処理水としては、建物の屋根に降下した放射性物質が降雨水と共に集められてなるものの他、例えば、建物の壁面の洗浄水、降雨による路面排水、その他の放射性物質を含む被処理水であってもよい。
【００９８】
(29)前記両棒状部材１０２，１０２の上端部相互を、着脱可能の把手部材１１１で連結可能とする構成は、係合手段によって着脱が可能な手段等、公知の各種着脱手段を採用できる。
【符号の説明】
【００９９】
１  濾過槽
２  建物
３  屋根
５  被処理水
６  地面
７  上端開放部
９  蓋板
１０  外筒体
１１  上端
１２  下端
１３  濾過筒体
１５  流入空間
１６  下部側
１７  取水部
１８  濾材層
１９  通水孔
２０  板状支持部材
２１  下面部
２２  第１の濾材層
２３  上面部
２５  第２の濾材層
２７  流入口
３０  流出口
３３  流出管
４２  底部
５５  流入口形成孔
５６  流入管
７３  流出口形成孔
８６  オーバーフロー口
９２  係合突出部
９３  Ｌ字状係合溝
９５  縦係合溝
９７  横係合溝
９９  幅広係合部
１００  把手具
１０２  縦棒材
１１０  半割筒部
１１１  把手部材
１２０  結着材
１３０  下の濾材層
１３１  上の濾材層
１３５  雨樋
【図１】
0005801168.tif 000002
【図２】
0005801168.tif 000003
【図３】
0005801168.tif 000004
【図４】
0005801168.tif 000005
【図５】
0005801168.tif 000006
【図６】
0005801168.tif 000007
【図７】
0005801168.tif 000008
【図８】
0005801168.tif 000009
【図９】
0005801168.tif 000010
【図１０】
0005801168.tif 000011
【図１１】
0005801168.tif 000012
【図１２】
0005801168.tif 000013
【図１３】
0005801168.tif 000014
【図１４】
0005801168.tif 000015
【図１５】
0005801168.tif 000016
【図１６】
0005801168.tif 000017
【図１７】
0005801168.tif 000018
【図１８】
0005801168.tif 000019
【図１９】
0005801168.tif 000020
【図２０】
0005801168.tif 000021
【図２１】
0005801168.tif 000022
【図２２】
0005801168.tif 000023